(57)【要約】【課題】廃棄した後に音声情報が漏洩してしまうことを確実に防止する。【解決手段】音声メッセージ伝達シート１を廃棄する際に切断する切断指示線２ａが設けられ、一端が、ＩＣ基板３２内のＩＣチップのポート端子のうち、音声情報を記録するための指示信号が入力されるポート端子に接続された配線パターン３７ｃと、一端が、音声情報を記録するための指示信号の発生源となるコイン電池３１のグランド端子に接続されたポート端子に接続された配線パターン３７ｄとが、切断指示線２ａにて近接している。【選択図】図１
2009028904.tif 000002
【特許請求の範囲】
【請求項１】
音声情報が記録される回路部と、音声情報を出力する音声情報出力手段と、再生用スイッチとが複数のシートに挟み込まれて構成され、前記再生用スイッチが操作された場合に、前記回路部に記録された音声情報が前記音声情報出力手段を介して出力され、また、音声情報を記録するための指示信号が前記回路部の所定のポート端子に入力された場合に、音声情報が前記回路部に記録された音声情報に上書きするように記録される音声メッセージ伝達シートにおいて、
一端が前記ポート端子に接続され、他端が開放された第１の配線と、
一端が前記指示信号の発生源に接続され、他端が開放された第２の配線と、
前記音声メッセージ伝達シートが切断される切断予定線とを有し、
前記第１の配線と前記第２の配線とが少なくとも前記切断予定線にて近接して配置されていることを特徴とする音声メッセージ伝達シート。
【発明の詳細な説明】
【技術分野】
【０００１】
本発明は、音声情報の記録や再生が可能な音声メッセージ伝達シートに関し、特に、記録された音声情報の漏洩防止技術に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報の記録及び再生が可能に構成された音声カードが考えられている（例えば、特許文献１参照。）。
【０００６】
このような音声カードは、例えば、音声情報が記録される回路部と、回路部に対する音声情報の記録あるいは再生を行なうための記録・再生部とが２枚のカード基材に挟まれ、このカード基材に、記録・再生部を介して音声情報を入力する際に押下される録音ボタンと、回路部に記録された音声情報を記録・再生部を介して出力する際に押下される再生ボタンとが設けられて構成されている。回路部は配線基板上に搭載されており、この配線基板上には回路部に接続された導電パターンが形成されている。そして、録音ボタン及び再生ボタンはそれぞれ、配線基板に形成された導電パターンの所定の領域と対向する位置に設けられている。
【０００７】
このように音声情報を記録可能に構成された音声カードにおいては、再生ボタンが押下されると、再生ボタンと導電パターンとが導通することにより、回路部に記録された音声情報が記録・再生部を介して出力され、また、録音ボタンが押下されると、録音ボタンと導電パターンとが導通し、その状態で記録・再生部を介して音声情報が入力されると、その音声情報が回路部に記録された音声情報に上書きするように記録される。
【特許文献１】特公平３−４５４３３号公報
【発明の開示】
【発明が解決しようとする課題】
【０００８】
上述したような音声カードにおいては、再生ボタンが押下されると、再生ボタンと導電パターンとが導通することにより、回路部に記録された音声情報が記録・再生部を介して出力される構成であるため、音声カードの送付先において音声情報が再生された後、廃棄された場合、再生ボタンが押下されることによって、回路部に記録された音声情報が漏洩してしまう虞れがある。これは、回路部に記録された音声情報が、第三者に知られたくない情報や機密性が高い情報である場合、特に回避したいものである。
【０００９】
ここで、上述した特許文献１に記載されたものにおいては、音声情報の記録後に再度の音声情報の記録を防止するために、録音ボタン及びそれに対向する配線基板を容易に切り離すことができるような構成となっている。そこで、これと同様に再生ボタン及びそれに対向する配線基板を切り離し可能な構成としておき、音声カードを廃棄する場合に、再生ボタン及びそれに対向する配線基板を切り離せば、回路部に記録された音声情報が再生されてしまうことがなくなる。
【００１０】
しかしながら、再生ボタン及びそれに対向する配線基板を切り離した場合であっても、回路部には音声情報が記録された状態となっているため、切り離された配線基板上の導電パターンを何らかの手段で導通させれば、回路部に記録された音声情報が再生されることとなり、記録された音声情報が漏洩してしまう。
【００１１】
本発明は、上述したような従来の技術が有する問題点に鑑みてなされたものであって、廃棄した後に音声情報が漏洩してしまうことを確実に防止できる音声メッセージ伝達シートを提供することを目的とする。
【課題を解決するための手段】
【００１２】
上記目的を達成するために本発明は、
音声情報が記録される回路部と、音声情報を出力する音声情報出力手段と、再生用スイッチとが複数のシートに挟み込まれて構成され、前記再生用スイッチが操作された場合に、前記回路部に記録された音声情報が前記音声情報出力手段を介して出力され、また、音声情報を記録するための指示信号が前記回路部の所定のポート端子に入力された場合に、音声情報が前記回路部に記録された音声情報に上書きするように記録される音声メッセージ伝達シートにおいて、
一端が前記ポート端子に接続され、他端が開放された第１の配線と、
一端が前記指示信号の発生源に接続され、他端が開放された第２の配線と、
前記音声メッセージ伝達シートが切断される切断予定線とを有し、
前記第１の配線と前記第２の配線とが少なくとも前記切断予定線にて近接して配置されていることを特徴とする。
【００１３】
上記のように構成された本発明においては、複数のシートに挟み込まれた再生用スイッチが操作された場合、回路部に記録された音声情報が音声情報出力手段を介して出力され、また、複数のシートに挟みこまれた回路部の所定のポート端子に、音声情報を記録するための指示信号が入力された場合に、音声情報が回路部に記録された音声情報に上書きするように記録される。この音声メッセージ伝達シートを廃棄する際に、音声メッセージ伝達シートに設けられた切断予定線を、はさみ等の導電性材料からなる切断手段によって切断すると、切断予定線においては、一端が回路部のポート端子のうち音声情報を記録するための指示信号が入力されるポート端子に接続され、他端が開放された第１の配線と、一端が音声情報を記録するための指示信号の発生源に接続され、他端が開放された第２の配線とが近接しているため、導電性材料からなる切断手段を介して第１の配線と第２の配線とが導通し、回路部の音声情報を記録するための指示信号が入力されるポート端子に指示信号が入力され、回路部に対する上書き動作が行われ、回路部に記録された音声情報がこの上書き動作によって消去されることになる。
【００１４】
このように、音声メッセージ伝達シートを廃棄する際に、音声メッセージ伝達シートに設けられた切断予定線を、はさみ等の導電性材料からなる切断手段によって切断することにより、回路部に記録された音声情報が回路部に対する上書き動作によって消去されるため、音声メッセージ伝達シートが廃棄された後においては、回路部には、音声メッセージ伝達シートの送付元から送付先に伝達された音声情報が記録されていない状態となる。
【発明の効果】
【００１５】
以上説明したように本発明においては、音声メッセージ伝達シートに設けられた切断予定線において、一端が回路部のポート端子のうち音声情報を記録するための指示信号が入力されるポート端子に接続され、他端が開放された第１の配線と、一端が音声情報を記録するための指示信号の発生源に接続され、他端が開放された第２の配線とが近接している構成としたため、この音声メッセージ伝達シートを廃棄する際に、はさみ等の導電性材料からなる切断手段によって切断予定線を切断すると、切断手段を介して第１の配線と第２の配線とが導通し、回路部の音声情報を記録するための指示信号が入力されるポート端子に指示信号が入力され、回路部に対する上書き動作が行われ、回路部に記録された音声情報がこの上書き動作によって消去されることになり、廃棄した後に音声情報が漏洩してしまうことを確実に防止できる。
【発明を実施するための最良の形態】
【００１６】
以下に、本発明の実施の形態について図面を参照して説明する。
【００１７】
図１は、本発明の音声メッセージ伝達シートの実施の一形態を示す図であり、（ａ）は表面から見た図、（ｂ）は内部構造を示す図、（ｃ）は（ａ）に示したＡ−Ａ’断面図である。また、図２は、図１に示した音声メッセージ伝達シート１の積層状態を示す図である。
【００１８】
本形態は図１及び図２に示すように、音声情報の記録や再生が可能なシート状の音声情報記録／再生部３０が、紙基材等の柔軟性を有し、かつ薄型の基材からなる２枚の支持シート２０ａ，２０ｂに挟み込まれ、また、音声情報記録／再生部３０を挟み込んだ支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟み込まれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。また、表面シート１０ａ，１０ｂ、支持シート２０ａ，２０ｂ及び音声情報記録／再生部３０は、この音声メッセージ伝達シート１を廃棄する際に他の領域から切り離される切り離し部２が設けられるとともに、他の領域から突出した突出部３が設けられている。
【００１９】
音声情報記録／再生部３０は、ピエゾ素子４１、振動板４２及びフィルムシート（不図示）からシート状に構成されて音声情報を入出力するための音声情報出力手段である音声情報入出力部４０と、音声情報入出力部４０を介して入力された音声情報が記録されるＩＣチップを具備する回路部であるＩＣ基板３２と、ＩＣ基板３２に記録された音声情報を音声情報入出力部４０を介して出力する際に操作される薄型の再生用スイッチ３３と、音声情報入出力部４０を介して入力された音声情報をＩＣ基板３２に記録する際に操作される薄型の録音用スイッチ３４と、ＩＣ基板３２に接続され、ＩＣ基板３２に電源を供給するための薄型のコイン電池３１とから構成されている。なお、ＩＣ基板３２と、コイン電池３１及びピエゾ素子４１とはそれぞれ、はんだ溶接されたリード線を介して互いに電気的に接続されている。また、スイッチ３３，３４は、フィルム基板３５，３６上に搭載され、このフィルム基板３５，３６上に形成された配線パターン３７ａ〜３７ｄとＩＣ基板３２とについても、はんだ溶接されたリード線を介して互いに電気的に接続されている。ＩＣ基板３２内のＩＣチップは、音声情報入出力部４０を介して入力された音声情報をメモリ領域に記録し、また、メモリ領域に記録された音声情報を音声情報入出力部４０を介して出力する制御を行うものであって、コイン電池３１によって電源が供給されるポート端子や、グランド電位に接続されたポート端子や、メモリ領域に記録された音声情報を音声情報入出力部４０に出力するためのポート端子や、メモリ領域に記録された音声情報を音声情報入出力部４０を介して出力するための指示信号が入力されるポート端子や、音声情報入出力部４０を介して入力された音声情報をメモリ領域に記録するためのポート端子や、音声情報入出力部４０を介して入力された音声情報をメモリ領域に記録するための指示信号が入力されるポート端子等を有し、このうち、メモリ領域に記録された音声情報を音声情報入出力部４０を介して出力するための指示信号が入力されるポート端子がグランド電位となった場合、メモリ領域に記録された音声情報を音声情報入出力部４０を介して出力し、また、音声情報入出力部４０を介して入力された音声情報をメモリ領域に記録するための指示信号が入力されるポート端子がグランド電位となった場合、その後に音声情報入出力部４０を介して入力された音声情報をメモリ領域に記録する。フィルム基板３６上に形成された配線パターン３７ｃ，３７ｄは、第１の配線となる配線パターン３７ｃが、その一端が、ＩＣ基板３２内のＩＣチップのポート端子のうち、音声情報入出力部４０を介して入力された音声情報をメモリ領域に記録するための指示信号が入力されるポート端子に接続され、他端がフィルム基板３６上の切り離し部２にて開放されており、また、第２の配線となる配線パターン３７ｄが、その一端が、コイン電池３１のグランド電位に接続されたポート端子に接続され、他端がフィルム基板３６上の切り離し部２にて開放されている。すなわち、配線パターン３７ｄは、音声情報入出力部４０を介して入力された音声情報をメモリ領域に記録するための指示信号の発生源となるコイン電池３１のグランド電位にＩＣチップを介して接続されていることになる。これら配線パターン３７ｃ，３７ｄは、切り離し部２を切り離すための切断予定線である切断指示線２ａが表面シート１０ａに表示された領域にて、例えば、０．０５〜０．１ｍｍ程度の間隔で近接している。また、フィルム基板３６は、突出部３にも延びるように設けられており、配線パターン３７ｄはその領域上にも形成されている。
【００２０】
表面シート１０ａには、スイッチ３３と対向する領域に、スイッチ３３を示す再生ボタン１２が印刷され、また、スイッチ３４と対向する領域に、スイッチ３４を示す録音ボタン１３が印刷されている。また、音声情報入出力部４０と対向する領域に、音声情報入出力部４０を介して音声を入力したり、音声情報入出力部４０から出力された音声を外部に出力したりするための微細な穴が羅列されてなる音声入出力領域１４ａが形成されている。このように微細な穴が羅列されてなる音声入出力領域１４ａが形成されているため、音声情報入出力部４０がその表裏を表面シート１０ａ，１０ｂで覆われた状態であっても、音声情報入出力部４０から出力される音量の低下を補うことができる。なお、音声入出力領域１４ａにおいては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、表面シート１０ａには、この音声メッセージ伝達シート１を用いて視覚的に通知すべき情報を印刷あるいは記入するための情報表示領域１１が設けられている。また、再生ボタン１２や録音ボタン１３においては、印刷によって表面シート１０ａ上に設けておかず、情報表示領域１１に情報が印刷された後に、スイッチ３３，３４に対向する領域にシールを貼付することによって設けることも考えられる。また、切り離し部２を切り離す位置を指示する切断指示線２ａが表示されているとともに、突出部３を切断する位置を指示する切断指示線３ａが表示されている。
【００２１】
支持シート２０ａにおいては、音声情報記録／再生部３０と積層された場合に、音声情報入出力部４０に対向する領域に穴部２１が形成され、また、コイン電池３１、ＩＣ基板３２、スイッチ３３，３４及びフィルム基板３５，３６に対向する領域に穴部２２が形成されている。
【００２２】
支持シート２０ｂにおいては、音声情報記録／再生部３０と積層された場合に、音声情報入出力部４０に対向する領域に穴部２４が形成され、また、コイン電池３１に対向する領域に穴部２５が形成され、また、ＩＣ基板３２に対向する領域に穴部２６が形成されている。
【００２３】
このように、支持シート２０ａの、音声情報入出力部４０、コイン電池３１、ＩＣ基板３２、スイッチ３３，３４及びフィルム基板３５，３６と対向する領域に穴部２１，２２がそれぞれ形成され、また、支持シート２０ｂの、音声情報入出力部４０、コイン電池３１及びＩＣ基板３２と対向する領域に穴２４〜２６がそれぞれ形成されることにより、コイン電池３１、ＩＣ基板３２、スイッチ３３，３４及び音声情報入出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。さらには、音声情報記録／再生部３０の最も厚い部分の厚さに対して、支持シート２０ａ，２０ｂの厚さを合計した厚さを同等、若しくは厚くすることにより、表面シート１０ａ，１０ｂをほぼ平坦な状態とすることができる。
【００２４】
表面シート１０ｂには、音声情報入出力部４０と対向する領域に、音声情報入出力部４０を介して音声を入力したり、音声情報入出力部４０から出力された音声を外部に出力したりするための微細な穴が羅列されてなる音声入出力領域１４ｂが形成されている。この音声入出力領域１４ｂの構成は、表面シート１０ａに形成された音声入出力領域１４ａの構成と同様である。
【００２５】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２６】
図３（ａ）に示すように、支持シート２０ａの音声情報入出力部４０と対向する領域に形成された穴部２１は音声情報入出力部４０の外形とほぼ等しく、また、コイン電池３１、ＩＣ基板３２、スイッチ３３，３４及びフィルム基板３５，３６と対向する領域に形成された穴部２２は、これらコイン電池３１、ＩＣ基板３２、スイッチ３３，３４及びフィルム基板３５とフィルム基板３６の一部を含む大きさとなっている。
【００２７】
また、図３（ｂ）に示すように、支持シート２０ｂの音声情報入出力部４０と対向する領域に形成された穴部２４は音声情報入出力部４０よりも小さく、また、コイン電池３１と対向する領域に形成された穴部２５はコイン電池３１よりも大きく、また、ＩＣ基板３２と対向する領域に形成された穴部２６はＩＣ基板３２よりも大きくなっている。
【００２８】
以下に、上記のように構成された音声メッセージ伝達シート１の使用方法について説明する。
【００２９】
上記のように構成された音声メッセージ伝達シート１に対して音声情報を記録する場合は、まず、録音ボタン１３を介してスイッチ３４を押下する。
【００３０】
図４は、図１に示したスイッチ３４の操作による音声メッセージ伝達シート１の動作を説明するための図であり、（ａ）はフィルム基板３６上の詳細な構成を示す図、（ｂ）はスイッチ３４が押下されていない状態におけるスイッチ３４及びフィルム基板３６の断面図、（ｃ）はスイッチ３４が押下された状態におけるスイッチ３４及びフィルム基板３６の断面図、（ｄ）はスイッチ３４が押下されていない状態における等価回路図、（ｅ）はスイッチ３４が押下された状態における等価回路図である。
【００３１】
図４（ａ）に示すように、フィルム基板３６には、リード線を介してＩＣ基板３２に接続された２つの配線パターン３７ｃ，３７ｄが形成されている。この２つの配線パターン３７ｃ，３７ｄはそれぞれ櫛状となっており、櫛の歯の部分が互い違いに対向するように形成されている。配線パターン３７ｃ，３７ｄのうち一方の配線パターン３７ｃは、ＩＣ基板３２内のＩＣチップのポート端子のうち、音声情報入出力部４０を介して入力された音声情報をメモリ領域に記録するための指示信号が入力されるポート端子に接続され、他方の配線パターン３７ｄは、ＩＣ基板３２を介してコイン電池３１のグランド端子に接続されている。
【００３２】
スイッチ３４が押下されていない状態においては、図４（ｂ）に示すように、スイッチ３４が２つの配線パターン３７ｃ，３７ｄに接しておらず、それにより、図４（ｄ）に示すように、ＩＣ基板３２内のＩＣチップのポート端子のうち、配線パターン３７ｃに接続され、音声情報入出力部４０を介して入力された音声情報をメモリ領域に記録するための指示信号が入力されるポート端子はオープン状態となっている。そのため、この状態で音声情報入出力部４０を介して音声情報が入力されてもその音声情報はＩＣ基板３２に記録されない。
【００３３】
スイッチ３４が押下されると、図４（ｃ）に示すように、スイッチ３４がフィルム基板３６の表面に沿うように変形し、それにより、スイッチ３４の裏面に塗布された導電剤３４ａを介して２つの配線パターン３７ｃ，３７ｄが電気的に接続された状態となる。すると、図４（ｅ）に示すように、配線パターン３７ｄがコイン電池３１のグランド端子に接続されているため、配線パターン３７ｃと接続されたポート端子、すなわち、音声情報入出力部４０を介して入力された音声情報をメモリ領域に記録するための指示信号が入力されるポート端子がコイン電池３１による電源３１ａのグランド電位となり、その状態において、音声情報入出力部４０を介して音声情報を入力すると、入力された音声情報がＩＣ基板３２に記録されることになる。
【００３４】
このようにしてＩＣ基板３２のメモリ領域に音声情報が記録された後、録音ボタン１３が誤って押下された場合、ＩＣ基板３２のメモリ領域に記録された音声情報が上書き動作によって消去されてしまう。そこで、切断指示線３ａに沿って突出部３を切断する。
【００３５】
図５は、図１に示した音声メッセージ伝達シート１の突出部３が切断された状態における動作を説明するための図であり、（ａ）はフィルム基板３６上の詳細な構成を示す図、（ｂ）はスイッチ３４が押下された状態における等価回路図である。
【００３６】
音声メッセージ伝達シート１の突出部３が切断されると、図５（ａ）に示すように、配線パターン３７ｄが断線した状態となる。そのため、この状態で録音ボタン１３を介してスイッチ３４が押下された場合であっても、図５（ｂ）に示すように、配線パターン３７ｄが断線していることにより、ＩＣ基板３２内のＩＣチップのポート端子のうち、配線パターン３７ｃに接続され、音声情報入出力部４０を介して入力された音声情報をメモリ領域に記録するための指示信号が入力されるポート端子はオープン状態のままとなり、この状態で音声情報入出力部４０を介して音声情報が入力されてもその音声情報がＩＣ基板３２に新たに記録されず、ＩＣ基板３２に既に記録された音声情報が上書きによって消去されることがない。
【００３７】
このようにして突出部３が切り離された音声メッセージ伝達シート１は、その送付先に送付されることになる。
【００３８】
音声メッセージ伝達シート１の送付先においては、ＩＣ基板３２のメモリ領域に記録された音声情報を再生する場合、再生ボタン１２を介してスイッチ３３を押下する。すると、上述した音声情報の記録時と同様に、フィルム基板３５に形成された２つの配線パターン３７ａ，３７ｂがスイッチ３３の裏面に塗布された導電剤を介して電気的に接続され、それにより、ＩＣ基板３２内のＩＣチップのポート端子のうち、メモリ領域に記録された音声情報を音声情報入出力部４０を介して出力するための指示信号が入力されるポート端子がコイン電池３１による電源によってグランド電位となり、メモリ領域に記録された音声情報がＩＣ基板３２から出力され、音声情報入出力部４０を介して出力されることになる。
【００３９】
その後、音声メッセージ伝達シート１を廃棄する場合、音声メッセージ伝達シート１の切り離し部２を切断指示線２ａに沿って、はさみ等の導電性材料からなる切断手段によって切断する。
【００４０】
図６は、図１に示した音声メッセージ伝達シート１の切り離し部２を切断する際の動作を説明するための図であり、（ａ）は切り離し部２が切断される状態を示す断面図、（ｂ）は切り離し部２が切断される際の等価回路図である。
【００４１】
上述したようにフィルム基板３６においては、一端が、ＩＣ基板３２内のＩＣチップのポート端子のうち、音声情報入出力部４０を介して入力された音声情報をメモリ領域に記録するための指示信号が入力されるポート端子に接続された配線パターン３７ｃと、一端が、ＩＣ基板３２内のＩＣチップのポート端子のうち、コイン電池３１のグランド電位に接続されたポート端子に接続された配線パターン３７ｄとが、切断指示線２ａが表面シート１０ａに表示された領域にて近接しているため、切り離し部２を切断指示線２ａに沿って導電性材料からなる切断手段であるはさみ５０で切断すると、図６（ａ）に示すように、はさみ５０を介して配線パターン３７ｃと配線パターン３７ｄとが導通する。
【００４２】
すると、図６（ｂ）に示すように、ＩＣ基板３２内のポート端子のうち、音声情報入出力部４０を介して入力された音声情報をメモリ領域に記録するための指示信号が入力されるポート端子が、コイン電池３１のグランド電位に接続されたポート端子に接続され、それにより、音声情報入出力部４０を介して入力された音声情報をメモリ領域に記録するための指示信号が入力されるポート端子がコイン電池３１による電源３１ａのグランド電位となり、ＩＣチップに対する上書き動作が行われ、ＩＣチップに記録された音声情報がこの上書き動作によって消去されることになる。
【００４３】
このように、音声メッセージ伝達シート１を廃棄する際に、音声メッセージ伝達シート１に設けられた切り離し部２を切断指示線２ａに沿って、はさみ等の導電性材料からなる切断手段によって切断することにより、ＩＣ基板３２内のＩＣチップに記録された音声情報がＩＣチップに対する上書き動作によって消去されるため、音声メッセージ伝達シート１が廃棄された後においては、ＩＣ基板３２内のＩＣチップには、音声メッセージ伝達シート１の送付元から送付先に伝達された音声情報が記録されていない状態となり、廃棄した後に音声情報が漏洩してしまうことを確実に防止できる。
【００４４】
（他の実施の形態）
図７は、本発明の音声メッセージ伝達シートの他の実施の形態を示す図であり、（ａ）は表面から見た図、（ｂ）は内部構造を示す図、（ｃ）は（ａ）に示したＡ−Ａ’断面図である。
【００４５】
本形態における音声メッセージ伝達シート１０１は図７に示すように、図１に示したものに対して、録音ボタン１３及びスイッチ３４が設けられておらず、その代わりに、ＩＣ基板３２に音声情報を記録するための接続端子３８が設けられており、ピエゾ素子４１と振動板４２とから音声情報出力部１４０が構成され、表面シート１１０ａ，１１０ｂのこの音声情報出力部１４０に対向する領域が音声出力領域１１４ａとなっている点のみが異なるものである。また、録音ボタン１３及びスイッチ３４が設けられていないことにより、図１に示した突出部３は存在しない。フィルム基板３６上の配線パターン３７ｃは、その一端が、ＩＣ基板３２内のＩＣチップのポート端子のうち、接続端子３８を介して入力された音声情報をメモリ領域に記録するための指示信号が入力されるポート端子に接続され、他端がフィルム基板３６上の切り離し部２にて開放されており、また、配線パターン３７ｄは、その一端が、コイン電池３１のグランド電位に接続されたポート端子に接続され、他端がフィルム基板３６上の切り離し部２にて開放されている。すなわち、配線パターン３７ｄは、音声情報入出力部４０を介して入力された音声情報をメモリ領域に記録するための指示信号の発生源となるコイン電池３１のグランド電位にＩＣチップを介して接続されていることになる。これら配線パターン３７ｃ，３７ｄは、切り離し部２を切り離すための切断予定線である切断指示線２ａが表面シート１１０ａに表示された領域にて近接している。
【００４６】
上記のように構成された音声メッセージ伝達シート１０１においては、ＩＣ基板３２内のＩＣチップに音声情報を記録する場合は、接続端子３８を外部の音声出力手段（不図示）に接続し、音声出力手段から出力された音声情報をＩＣ基板３２内のＩＣチップに記録することになる。この際、図１に示したものと同様に、ＩＣ基板３２内のＩＣチップのポート端子のうち、接続端子３８を介して入力された音声情報をメモリ領域に記録するための指示信号が入力されるポート端子はグランド電位とされる。
【００４７】
その後、音声メッセージ伝達シート１０１を廃棄する場合、音声メッセージ伝達シート１０１の切り離し部２を切断指示線２ａに沿って、はさみ等の導電性材料からなる切断手段によって切断する。
【００４８】
図８は、図７に示した音声メッセージ伝達シート１０１の切り離し部２を切断する際の動作を説明するための図であり、（ａ）は切り離し部２が切断される状態を示す断面図、（ｂ）は切り離し部２が切断される際の等価回路図である。
【００４９】
上述したようにフィルム基板３６においては、一端が、ＩＣ基板３２内のＩＣチップのポート端子のうち、接続端子３８を介して入力された音声情報をメモリ領域に記録するための指示信号が入力されるポート端子に接続された配線パターン３７ｃと、一端が、ＩＣ基板３２内のＩＣチップのポート端子のうち、コイン電池３１のグランド電位に接続されたポート端子に接続された配線パターン３７ｄとが、切断指示線２ａが表面シート１１０ａに表示された領域にて近接しているため、切り離し部２を切断指示線２ａに沿って導電性材料からなる切断手段であるはさみ５０で切断すると、図８（ａ）に示すように、はさみ５０を介して配線パターン３７ｃと配線パターン３７ｄとが導通する。
【００５０】
すると、図８（ｂ）に示すように、ＩＣ基板３２内のポート端子のうち、接続端子３８を介して入力された音声情報をメモリ領域に記録するための指示信号が入力されるポート端子が、コイン電池３１のグランド電位に接続されたポート端子に接続され、それにより、接続端子３８を介して入力された音声情報をメモリ領域に記録するための指示信号が入力されるポート端子がコイン電池３１による電源３１ａのグランド電位となり、ＩＣチップに対する上書き動作が行われ、ＩＣチップに記録された音声情報がこの上書き動作によって消去されることになる。なおこの際、接続端子３８には音声出力手段が接続されていないため、ＩＣチップに対する上書き動作が行われるものの、ＩＣチップには何も記録されない。
【００５１】
このように、音声メッセージ伝達シート１０１を廃棄する際に、音声メッセージ伝達シート１０１に設けられた切り離し部２を切断指示線２ａに沿って、はさみ等の導電性材料からなる切断手段によって切断することにより、ＩＣ基板３２内のＩＣチップに記録された音声情報がＩＣチップに対する上書き動作によって消去されるため、音声メッセージ伝達シート１０１が廃棄された後においては、ＩＣ基板３２内のＩＣチップには、音声メッセージ伝達シート１０１の送付元から送付先に伝達された音声情報が記録されていない状態となり、廃棄した後に音声情報が漏洩してしまうことを確実に防止できる。
【００５２】
なお、上述した２つの実施の形態において、配線パターン３７ｃ，３７ｄの近接した領域のフィルム基板３６上に絶縁体を塗布しておく構成とすることにより、音声メッセージ伝達シート１，１０１が折り曲げられた場合であっても、配線パターン３７ｃ，３７ｄが電気的に短絡してしまうことを防止することができる。
【００５３】
また、上述した２つの実施の形態においては、フィルム基板３６上に配線パターン３７ｃ，３７ｄが形成され、フィルム基板３６を切断することにより配線パターン３７ｃと配線パターン３７ｄとを電気的に接続する構成を例に挙げて説明したが、音声情報入出力部４０や接続端子３８を介して入力された音声情報をメモリ領域に記録するための指示信号が入力されるポート端子に接続された配線と、コイン電池３１のグランド電位に接続されたポート端子に接続された配線とを、切断指示線２ａにて近接するように切り離し部２まで伸ばして配置する構成であってもよい。
【図面の簡単な説明】
【００５４】
【図１】本発明の音声メッセージ伝達シートの実施の一形態を示す図であり、（ａ）は表面から見た図、（ｂ）は内部構造を示す図、（ｃ）は（ａ）に示したＡ−Ａ’断面図である。
【図２】図１に示した音声メッセージ伝達シートの積層状態を示す図である。
【図３】図１及び図２に示した支持シートと音声情報記録／再生部とを積層した状態を示す図である。
【図４】図１に示したスイッチの操作による音声メッセージ伝達シートの動作を説明するための図であり、（ａ）はフィルム基板上の詳細な構成を示す図、（ｂ）はスイッチが押下されていない状態におけるスイッチ及びフィルム基板の断面図、（ｃ）はスイッチが押下された状態におけるスイッチ及びフィルム基板の断面図、（ｄ）はスイッチが押下されていない状態における等価回路図、（ｅ）はスイッチが押下された状態における等価回路図である。
【図５】図１に示した音声メッセージ伝達シートの突出部が切断された状態における動作を説明するための図であり、（ａ）はフィルム基板上の詳細な構成を示す図、（ｂ）はスイッチが押下された状態における等価回路図である。
【図６】図１に示した音声メッセージ伝達シートの切り離し部を切断する際の動作を説明するための図であり、（ａ）は切り離し部が切断される状態を示す断面図、（ｂ）は切り離し部が切断される際の等価回路図である。
【図７】本発明の音声メッセージ伝達シートの他の実施の形態を示す図であり、（ａ）は表面から見た図、（ｂ）は内部構造を示す図、（ｃ）は（ａ）に示したＡ−Ａ’断面図である。
【図８】図７に示した音声メッセージ伝達シートの切り離し部を切断する際の動作を説明するための図であり、（ａ）は切り離し部が切断される状態を示す断面図、（ｂ）は切り離し部が切断される際の等価回路図である。
【符号の説明】
【００５５】
１，１０１    音声メッセージ伝達シート
２    切り離し部
２ａ，３ａ    切断指示線
３    突出部
１０ａ，１０ｂ，１１０ａ，１１０ｂ    表面シート
１１    情報表示領域
１２    再生ボタン
１３    録音ボタン
１４ａ，１４ｂ    音声入出力領域
２０ａ，２０ｂ    支持シート
２１，２２，２４〜２６    穴部
３０，１３０    音声情報記録／再生部
３１    コイン電池
３１ａ    電源
３２    ＩＣ基板
３３，３４    スイッチ
３４ａ    導電剤
３５，３６    フィルム基板
３７ａ〜３７ｄ    配線パターン
３８    接続端子
４０    音声情報入出力部
４１    ピエゾ素子
４２    振動板
５０    はさみ
１４０    音声情報出力部
１１４ａ    音声出力領域
【図１】
2009028904.tif 000003
【図２】
2009028904.tif 000004
【図３】
2009028904.tif 000005
【図４】
2009028904.tif 000006
【図５】
2009028904.tif 000007
【図６】
2009028904.tif 000008
【図７】
2009028904.tif 000009
【図８】
2009028904.tif 000010